(57)【要約】 【課題】  発光ダイオードの連結位置を簡単かつ容易に、しかも自由に変更できるようにする。【解決手段】  照明装置は、複数の発光ダイオード１と、これらの発光ダイオード１のリード２を電気接続する状態で連結する電源供給装置３とを備える。照明装置は、電源供給装置３に連結された複数の発光ダイオード１を、電源供給装置３から発光ダイオード１に通電して発光させている。電源供給装置３は、発光ダイオード１のリード２を連結する接続部５を備える。この接続部５は、発光ダイオード１のリード２を挿通して保持できる弾性と、保持状態でリード２に通電する導電性とを有する。照明装置は、発光ダイオード１のリード２を接続部５に挿通し、接続部５から通電して点灯する。【選択図】  図７
2005191520.tif 000002
【特許請求の範囲】
【請求項１】
複数の発光ダイオード(1)と、これらの発光ダイオード(1)のリード(2)を電気接続する状態で連結する電源供給装置(3)とを備え、電源供給装置(3)に連結された複数の発光ダイオード(1)を、電源供給装置(3)から発光ダイオード(1)に通電して発光させる照明装置であって、
電源供給装置(3)が、発光ダイオード(1)のリード(2)を連結する接続部(5)を備え、この接続部(5)は、発光ダイオード(1)のリード(2)を挿通して保持できる弾性と、保持状態でリード(2)に通電する導電性とを有し、発光ダイオード(1)がリード(2)を接続部(5)に挿通し、接続部(5)から通電されて点灯するようにしてなる照明装置。
【請求項２】
一対のリード(2)を突出させている複数の発光ダイオード(1)と、複数の発光ダイオード(1)のリード(2)を電気接続する状態で連結する電源供給装置(3)とを備え、電源供給装置(3)に連結された複数の発光ダイオード(1)を、電源供給装置(3)から発光ダイオード(1)に通電して発光させる照明装置であって、
電源供給装置(3)が、絶縁部(4)の両側に、一対のリード(2)を連結する接続部(5)を配置しており、接続部(5)は発光ダイオード(1)のリード(2)を挿通して保持できる弾性保持部(6)を備え、この弾性保持部(6)は挿通されるリード(2)に電気接続される導電部(7)を備えており、
絶縁部(4)に沿って複数の発光ダイオード(1)のリード(2)を接続部(5)の弾性保持部(6)に挿通し、発光ダイオード(1)を弾性保持部(6)で保持して、通電して点灯するようにしてなる請求項１に記載される照明装置。
【請求項３】
弾性保持部(6)が導電物質を含有する合成樹脂発泡体またはゴム状弾性体である請求項２に記載される照明装置。
【請求項４】
一対のリード(2)を突出させている複数の発光ダイオード(1)と、複数の発光ダイオード(1)のリード(2)を電気接続する状態で連結する電源供給装置(3)とを備え、電源供給装置(3)に連結された複数の発光ダイオード(1)を、電源供給装置(3)から発光ダイオード(1)に通電して発光させる照明装置であって、
電源供給装置(3)が、発光ダイオード(1)のリード(2)を連結する接続部(5)を、発光ダイオード(1)のリード(2)を挿通して保持できる表面側弾性保持層(16)と裏面側弾性保持層(17)としており、発光ダイオード(1)のリード(2)を挿通して保持できる表面側弾性保持層(16)及び裏面側弾性保持層(17)を、リード(2)を挿通できる絶縁層(18)で絶縁して積層した構造であって、表面側弾性保持層(16)と裏面側弾性保持層(17)は、導電物質を含有する合成樹脂発泡体またはゴム状弾性体で、ここに挿通される発光ダイオード(1)のリード(2)に電気接続できる導電性を有し、
発光ダイオード(1)は、一方のリード(2)を、表面側弾性保持層(16)の貫通部分を絶縁している絶縁リード(2A)としており、発光ダイオード(1)が絶縁リード(2A)を表面側弾性保持層(16)に貫通させて表面側弾性保持層(16)に電気接続することなく裏面側弾性保持層(17)に挿通し、他方のリード(2)を表面側弾性保持層(16)に挿通して、表面側弾性保持層(16)と裏面側弾性保持層(17)とで発光ダイオード(1)に通電して発光させるようにしてなる請求項１に記載される照明装置。
【請求項５】
表面側弾性保持層(16)と裏面側弾性保持層(17)に金属線(24)を接触する状態で配設しており、この金属線(24)を介して表面側弾性保持層(16)と裏面側弾性保持層(17)とに通電するようにしてなる請求項４に記載される照明装置。
【請求項６】
一対のリード(2)を突出させている複数の発光ダイオード(1)と、複数の発光ダイオード(1)のリード(2)を電気接続する状態で連結する電源供給装置(3)とを備え、電源供給装置(3)に連結された複数の発光ダイオード(1)を、電源供給装置(3)から発光ダイオード(1)に通電して発光させる照明装置であって、
電源供給装置(3)が、発光ダイオード(1)のリード(2)を連結する接続部(5)を、発光ダイオード(1)のリード(2)を挿通して保持できる表面側弾性保持層(16)と裏面側弾性保持層(17)としており、発光ダイオード(1)のリード(2)を挿通して保持できる表面側弾性保持層(16)及び裏面側弾性保持層(17)を、リード(2)を挿通できる絶縁層(18)で絶縁して積層した構造であって、表面側弾性保持層(16)と裏面側弾性保持層(17)は、ここに挿通される発光ダイオード(1)のリード(2)に電気接続できる導電性を有し、
さらに、表面側弾性保持層(16)と裏面側弾性保持層(17)の表面に金属線(24)を縫着して固定して、この金属線(24)を介して表面側弾性保持層(16)と裏面側弾性保持層(17)とに通電するようにしており、
発光ダイオード(1)は、一方のリード(2)を、表面側弾性保持層(16)の貫通部分を絶縁している絶縁リード(2A)としており、発光ダイオード(1)が絶縁リード(2A)を表面側弾性保持層(16)に貫通させて表面側弾性保持層(16)に電気接続することなく裏面側弾性保持層(17)に挿通し、他方のリード(2)を表面側弾性保持層(16)に挿通して、表面側弾性保持層(16)と裏面側弾性保持層(17)とで発光ダイオード(1)に通電して発光させるようにしてなる請求項１に記載される照明装置。
【請求項７】
一対のリード(2)を突出させている複数の発光ダイオード(1)と、複数の発光ダイオード(1)のリード(2)を電気接続する状態で連結する電源供給装置(3)とを備え、電源供給装置(3)に連結された複数の発光ダイオード(1)を、電源供給装置(3)から発光ダイオード(1)に通電して発光させる照明装置であって、
電源供給装置(3)が、発光ダイオード(1)のリード(2)を連結する接続部(5)を、発光ダイオード(1)のリード(2)を挿通して保持できる表面側弾性保持層(16)と裏面側弾性保持層(17)としており、発光ダイオード(1)のリード(2)を挿通して保持できる表面側弾性保持層(16)及び裏面側弾性保持層(17)を、リード(2)を挿通できる絶縁層(18)で絶縁して積層した構造であって、表面側弾性保持層(16)と裏面側弾性保持層(17)は、導電物質を含有する合成樹脂発泡体またはゴム状弾性体で、ここに挿通される発光ダイオード(1)のリード(2)に電気接続できる導電性を有し、
さらに、表面側弾性保持層(16)と裏面側弾性保持層(17)の表面に金属線(24)を縫着して固定して、この金属線(24)を介して表面側弾性保持層(16)と裏面側弾性保持層(17)とに通電するようにしており、
発光ダイオード(1)は、一方のリード(2)を、表面側弾性保持層(16)の貫通部分を絶縁している絶縁リード(2A)としており、発光ダイオード(1)が絶縁リード(2A)を表面側弾性保持層(16)に貫通させて表面側弾性保持層(16)に電気接続することなく裏面側弾性保持層(17)に挿通し、他方のリード(2)を表面側弾性保持層(16)に挿通して、表面側弾性保持層(16)と裏面側弾性保持層(17)とで発光ダイオード(1)に通電して発光させるようにしてなる請求項１に記載される照明装置。
【請求項８】
導電物質が導電塗料であって、この導電塗料を合成樹脂発泡体またはゴム状弾性体に塗布して表面側弾性保持層(16)及び裏面側弾性保持層(17)としてなる請求項４、５、７のいずれかに記載される照明装置。
【請求項９】
表面側弾性保持層(16)に配設される金属線(24)と裏面側弾性保持層(17)に配設される金属線(24)の間隔(D)を、発光ダイオード(1)の一対のリード(2)の間隔(d)よりも大きくしてなる請求項５ないし７のいずれかに記載される照明装置。
【請求項１０】
一対のリード(2)を突出させている複数の発光ダイオード(1)と、複数の発光ダイオード(1)のリード(2)を電気接続する状態で連結する電源供給装置(3)とを備え、電源供給装置(3)に連結された複数の発光ダイオード(1)を、電源供給装置(3)から発光ダイオード(1)に通電して発光させる照明装置であって、
電源供給装置(3)が、発光ダイオード(1)のリード(2)を連結する接続部(5)を、発光ダイオード(1)のリード(2)を挿通して保持できる表面側弾性保持層(16)と裏面側弾性保持層(17)としており、発光ダイオード(1)のリード(2)を挿通して保持できる表面側弾性保持層(16)及び裏面側弾性保持層(17)を、リード(2)を挿通できる絶縁層(18)で絶縁して積層した構造であって、表面側弾性保持層(16)と裏面側弾性保持層(17)は、ここに挿通される発光ダイオード(1)のリード(2)に電気接続できる導電性を有し、
発光ダイオード(1)は、一方のリード(2)を、表面側弾性保持層(16)の貫通部分を絶縁している絶縁リード(2A)としており、
この発光ダイオード(1)は、一方のリード(2)に熱収縮する絶縁チューブを挿通して加熱することにより、リード(2)に絶縁チューブを固着させて絶縁リード(2A)を設けており、
発光ダイオード(1)が絶縁リード(2A)を表面側弾性保持層(16)に貫通させて表面側弾性保持層(16)に電気接続することなく裏面側弾性保持層(17)に挿通し、他方のリード(2)を表面側弾性保持層(16)に挿通して、表面側弾性保持層(16)と裏面側弾性保持層(17)とで発光ダイオード(1)に通電して発光させるようにしてなる請求項１に記載される照明装置。
【請求項１１】
表面側弾性保持層(16)と裏面側弾性保持層(17)の一方あるいは両方の表面にシリコンゴムからなる表面層(21)を設けており、この表面層(21)で表面側弾性保持層(16)と裏面側弾性保持層(17)の表面を絶縁している請求項４ないし１０のいずれかに記載される照明装置。
【請求項１２】
電源供給装置(3)が、接続部(5)に電力を供給する補助電極(27)を備え、この補助電極(27)を接続部(5)に連結して、補助電極(27)から接続部(5)に通電するようにしてなる請求項１に記載される照明装置。
【請求項１３】
発光ダイオード(1)を電気接続する状態で連結する発光ダイオード用の電源供給装置であって、
発光ダイオード(1)のリード(2)を連結する接続部(5)を備え、この接続部(5)は、発光ダイオード(1)のリード(2)を挿通して保持できる弾性と、保持状態でリード(2)に通電する導電性とを有し、発光ダイオード(1)のリード(2)を接続部(5)に挿通し、接続部(5)から通電して点灯するようにしてなる発光ダイオード用の電源供給装置。
【請求項１４】
発光ダイオード(1)を電気接続する状態で連結する発光ダイオード用の電源供給装置であって、
絶縁部(4)の両側に、発光ダイオード(1)の一対のリード(2)を連結する接続部(5)を配置しており、接続部(5)は発光ダイオード(1)のリード(2)を挿通して保持できる弾性保持部(6)を備え、この弾性保持部(6)は挿通されるリード(2)に電気接続される導電部(7)を備えており、
発光ダイオード(1)の一対のリード(2)を、絶縁部(4)の両側に配置している接続部(5)の弾性保持部(6)に、絶縁部(4)を跨ぐ姿勢で挿通し、発光ダイオード(1)を弾性保持部(6)で保持して、通電して点灯するようにしてなる請求項１３に記載される発光ダイオード用の電源供給装置。
【請求項１５】
弾性保持部(6)が導電物質を含有する合成樹脂発泡体またはゴム状弾性体である請求項１４に記載される発光ダイオード用の電源供給装置。
【請求項１６】
発光ダイオード(1)を電気接続する状態で連結する発光ダイオード用の電源供給装置であって、
発光ダイオード(1)のリード(2)を連結する接続部(5)を、発光ダイオード(1)のリード(2)を挿通して保持できる表面側弾性保持層(16)と裏面側弾性保持層(17)として、発光ダイオード(1)のリード(2)を挿通して保持できる表面側弾性保持層(16)及び裏面側弾性保持層(17)を、リード(2)を挿通できる絶縁層(18)で絶縁して積層しており、表面側弾性保持層(16)と裏面側弾性保持層(17)は、導電物質を含有する合成樹脂発泡体またはゴム状弾性体で、ここに挿通される発光ダイオード(1)のリード(2)に電気接続できる導電性を有しており、
一方のリード(2)を絶縁リード(2A)として表面側弾性保持層(16)の貫通部分を絶縁してなる発光ダイオード(1)を装着する状態で、絶縁リード(2A)を表面側弾性保持層(16)に貫通させて表面側弾性保持層(16)に電気接続することなく裏面側弾性保持層(17)に挿通し、他方のリード(2)を表面側弾性保持層(16)に挿通して、表面側弾性保持層(16)と裏面側弾性保持層(17)とで発光ダイオード(1)に通電して発光させるようにしてなる請求項１３に記載される発光ダイオード用の電源供給装置。
【請求項１７】
表面側弾性保持層(16)と裏面側弾性保持層(17)に金属線(24)を接触する状態で配設しており、この金属線(24)を介して表面側弾性保持層(16)と裏面側弾性保持層(17)とに通電するようにしてなる請求項１６に記載される発光ダイオード用の電源供給装置。
【請求項１８】
発光ダイオード(1)を電気接続する状態で連結する発光ダイオード用の電源供給装置であって、
発光ダイオード(1)のリード(2)を連結する接続部(5)を、発光ダイオード(1)のリード(2)を挿通して保持できる表面側弾性保持層(16)と裏面側弾性保持層(17)として、発光ダイオード(1)のリード(2)を挿通して保持できる表面側弾性保持層(16)及び裏面側弾性保持層(17)を、リード(2)を挿通できる絶縁層(18)で絶縁して積層しており、表面側弾性保持層(16)と裏面側弾性保持層(17)は、ここに挿通される発光ダイオード(1)のリード(2)に電気接続できる導電性を有しており、
さらに、表面側弾性保持層(16)と裏面側弾性保持層(17)の表面に金属線(24)を縫着して固定して、この金属線(24)を介して表面側弾性保持層(16)と裏面側弾性保持層(17)とに通電するようにしており、
一方のリード(2)を絶縁リード(2A)として表面側弾性保持層(16)の貫通部分を絶縁してなる発光ダイオード(1)を装着する状態で、絶縁リード(2A)を表面側弾性保持層(16)に貫通させて表面側弾性保持層(16)に電気接続することなく裏面側弾性保持層(17)に挿通し、他方のリード(2)を表面側弾性保持層(16)に挿通して、表面側弾性保持層(16)と裏面側弾性保持層(17)とで発光ダイオード(1)に通電して発光させるようにしてなる請求項１３に記載される発光ダイオード用の電源供給装置。
【請求項１９】
発光ダイオード(1)を電気接続する状態で連結する発光ダイオード用の電源供給装置であって、
発光ダイオード(1)のリード(2)を連結する接続部(5)を、発光ダイオード(1)のリード(2)を挿通して保持できる表面側弾性保持層(16)と裏面側弾性保持層(17)として、発光ダイオード(1)のリード(2)を挿通して保持できる表面側弾性保持層(16)及び裏面側弾性保持層(17)を、リード(2)を挿通できる絶縁層(18)で絶縁して積層しており、表面側弾性保持層(16)と裏面側弾性保持層(17)は、導電物質を含有する合成樹脂発泡体またはゴム状弾性体で、ここに挿通される発光ダイオード(1)のリード(2)に電気接続できる導電性を有しており、
さらに、表面側弾性保持層(16)と裏面側弾性保持層(17)の表面に金属線(24)を縫着して固定して、この金属線(24)を介して表面側弾性保持層(16)と裏面側弾性保持層(17)とに通電するようにしており、
一方のリード(2)を絶縁リード(2A)として表面側弾性保持層(16)の貫通部分を絶縁してなる発光ダイオード(1)を装着する状態で、絶縁リード(2A)を表面側弾性保持層(16)に貫通させて表面側弾性保持層(16)に電気接続することなく裏面側弾性保持層(17)に挿通し、他方のリード(2)を表面側弾性保持層(16)に挿通して、表面側弾性保持層(16)と裏面側弾性保持層(17)とで発光ダイオード(1)に通電して発光させるようにしてなる請求項１３に記載される発光ダイオード用の電源供給装置。
【請求項２０】
導電物質が導電塗料であって、この導電塗料を合成樹脂発泡体またはゴム状弾性体に塗布して表面側弾性保持層(16)及び裏面側弾性保持層(17)としてなる請求項１６、１７、１９のいずれかに記載される発光ダイオード用の電源供給装置。
【請求項２１】
表面側弾性保持層(16)に配設される金属線(24)と裏面側弾性保持層(17)に配設される金属線(24)の間隔(D)を、発光ダイオード(1)の一対のリード(2)の間隔(d)よりも大きくしてなる請求項１７ないし１９のいずれかに記載される発光ダイオード用の電源供給装置。
【請求項２２】
表面側弾性保持層(16)と裏面側弾性保持層(17)の一方あるいは両方の表面にシリコンゴムからなる表面層(21)を設けており、この表面層(21)で表面側弾性保持層(16)と裏面側弾性保持層(17)の表面を絶縁している請求項１６ないし２１のいずれかに記載される発光ダイオード用の電源供給装置。
【請求項２３】
接続部(5)に電力を供給する補助電極(27)を備え、この補助電極(27)を接続部(5)に連結して、補助電極(27)から接続部(5)に通電するようにしてなる請求項１３に記載される発光ダイオード用の電源供給装置。
【請求項２４】
発光ダイオード用の電源供給装置の導電層を形成することができる導電ボードであって、導電物質を全面にほぼ均一に含有する合成樹脂発泡体またはゴム状弾性体で製作されており、発光ダイオード(1)を点灯できる電流を導電ボードの任意の位置で通電できることを特徴とする導電ボード。
【発明の詳細な説明】
【技術分野】
【０００１】
本発明は、発光ダイオードを使用する照明装置に関し、とくに多数の発光ダイオードを自由な位置に連結して発光できる照明装置と、この照明装置に使用する発光ダイオード用の電源供給装置及びこの電源供給装置に使用する導電ボードに関する。
【背景技術】
【０００２】
発光ダイオードは、電球のフィラメントに相当するものがなく、半導体のｐｎ接合で発光させる。このため、電球とは比較にならない程に寿命が長く、しかも発光効率が高い特徴がある。しかしながら、発光ダイオードは、１個の発光出力が小さく、明るく発光させるためには多数の発光ダイオードを使用する必要がある。このことを実現するために、多数の発光ダイオードを並べて配列している照明装置は開発されている（特許文献１〜３参照）。
【特許文献１】特開平６−２９１９４０号公報
【特許文献２】特開２００３−１４１９０６号公報
【特許文献３】特開２００３−０５９３３５号公報
【０００３】
これ等の公報には、多数の発光ダイオードを直線状に、あるいは円で囲まれる領域に並べて固定している照明装置が記載される。このように、多数の発光ダイオードを特定の配列で設けている照明装置は、各々の発光ダイオードのリードをプリント基板に半田付けして固定して、全ての発光ダイオードに通電して発光するようにしている。
【発明の開示】
【発明が解決しようとする課題】
【０００４】
以上のように、多数の発光ダイオードを備える照明装置は、全ての発光ダイオードのリードを電源ラインに半田付け等の方法で連結するので、組み立てに手間がかかる欠点がある。また、半田付け等の方法でリードを接続するので、専門技術のないものが組み立てできない欠点もある。さらに、発光ダイオードを定位置に固定するので、用途に最適なように多数の発光ダイオードの固定位置を種々の形態に変更するのが難しい欠点もある。とくに、プリント基板に発光ダイオードのリードを半田付けして固定する構造では、プリント基板に発光ダイオードの固定位置を特定しているので、専用に設計されたプリント基板を使用して、発光ダイオードを特定された位置に固定する必要がある。このため、発光ダイオードを種々の形態に配列しようとすると、各々の形態に専用設計されたプリント基板を使用する必要がある。このため、発光ダイオードの配列を自由に変更して、種々の用途に最適な配列にできない欠点があった。
【０００５】
本発明は、このような欠点を解決することを目的に開発されたものである。本発明の重要な目的は、発光ダイオードの連結位置を簡単かつ容易に、しかも自由に変更できる照明装置と発光ダイオード用の電源供給装置及びこの電源装置に使用する導電ボードを提供することにある。
【課題を解決するための手段】
【０００６】
本発明の照明装置は、複数の発光ダイオード１と、これらの発光ダイオード１のリード２を電気接続する状態で連結する電源供給装置３とを備える。照明装置は、電源供給装置３に連結された複数の発光ダイオード１を、電源供給装置３から発光ダイオード１に通電して発光させている。電源供給装置３は、発光ダイオード１のリード２を連結する接続部５を備える。この接続部５は、発光ダイオード１のリード２を挿通して保持できる弾性と、保持状態でリード２に通電する導電性とを有する。照明装置は、発光ダイオード１のリード２を接続部５に挿通し、接続部５から通電して点灯する。
【０００７】
本発明の請求項２の照明装置は、一対のリード２を突出させている複数の発光ダイオード１と、複数の発光ダイオード１のリード２を電気接続する状態で連結する電源供給装置３とを備える。電源供給装置３は、絶縁部４の両側に、一対のリード２を連結する接続部５を配置している。接続部５は、発光ダイオード１のリード２を挿通して保持できる弾性保持部６を備え、この弾性保持部６は、挿通されるリード２に電気接続される導電部７を備えている。この照明装置は、絶縁部４に沿って複数の発光ダイオード１のリード２を接続部５の弾性保持部６に挿通し、発光ダイオード１を弾性保持部６で保持して、通電して点灯する。
【０００８】
本発明の請求項３の照明装置は、弾性保持部６を、導電物質を含有する合成樹脂発泡体またはゴム状弾性体としている。
【０００９】
本発明の請求項４の照明装置は、電源供給装置３が、発光ダイオード１のリード２を連結する接続部５を、発光ダイオード１のリード２を挿通して保持できる表面側弾性保持層１６と裏面側弾性保持層１７としている。電源供給装置３は、発光ダイオード１のリード２を挿通して保持できる表面側弾性保持層１６及び裏面側弾性保持層１７を、絶縁層１８で絶縁して積層した構造である。表面側弾性保持層１６と裏面側弾性保持層１７は、導電物質を含有する合成樹脂発泡体またはゴム状弾性体で、ここに挿通される発光ダイオード１のリード２に電気接続できる導電性を有する。発光ダイオード１は、一方のリード２を、表面側弾性保持層１６の貫通部分を絶縁している絶縁リード２Ａとしている。この照明装置は、発光ダイオード１の絶縁リード２Ａを表面側弾性保持層１６に貫通させて、表面側弾性保持層１６に電気接続することなく裏面側弾性保持層１７に挿通し、他方のリード２を表面側弾性保持層１６に挿通して、表面側弾性保持層１６と裏面側弾性保持層１７とで発光ダイオード１に通電して発光させる。
【００１０】
本発明の請求項５の照明装置は、表面側弾性保持層１６と裏面側弾性保持層１７に金属線２４を接触する状態で配設しており、この金属線２４を介して表面側弾性保持層１６と裏面側弾性保持層１７とに通電するようにしている。
【００１１】
本発明の請求項６の照明装置は、電源供給装置３が、発光ダイオード１のリード２を連結する接続部５を、発光ダイオード１のリード２を挿通して保持できる表面側弾性保持層１６と裏面側弾性保持層１７としている。電源供給装置３は、発光ダイオード１のリード２を挿通して保持できる表面側弾性保持層１６及び裏面側弾性保持層１７を、絶縁層１８で絶縁して積層した構造である。表面側弾性保持層１６と裏面側弾性保持層１７は、ここに挿通される発光ダイオード１のリード２に電気接続できる導電性を有する。さらに、表面側弾性保持層１６と裏面側弾性保持層１７は、表面に金属線２４を縫着して固定しており、この金属線２４を介して表面側弾性保持層１６と裏面側弾性保持層１７とに通電するようにしている。発光ダイオード１は、一方のリード２を、表面側弾性保持層１６の貫通部分を絶縁している絶縁リード２Ａとしている。この照明装置は、発光ダイオード１の絶縁リード２Ａを表面側弾性保持層１６に貫通させて、表面側弾性保持層１６に電気接続することなく裏面側弾性保持層１７に挿通し、他方のリード２を表面側弾性保持層１６に挿通して、表面側弾性保持層１６と裏面側弾性保持層１７とで発光ダイオード１に通電して発光させる。
【００１２】
本発明の請求項７の照明装置は、電源供給装置３が、発光ダイオード１のリード２を連結する接続部５を、発光ダイオード１のリード２を挿通して保持できる表面側弾性保持層１６と裏面側弾性保持層１７としている。電源供給装置３は、発光ダイオード１のリード２を挿通して保持できる表面側弾性保持層１６及び裏面側弾性保持層１７を、絶縁層１８で絶縁して積層した構造である。表面側弾性保持層１６と裏面側弾性保持層１７は、導電物質を含有する合成樹脂発泡体またはゴム状弾性体で、ここに挿通される発光ダイオード１のリード２に電気接続できる導電性を有する。さらに、表面側弾性保持層１６と裏面側弾性保持層１７は、表面に金属線２４を縫着して固定しており、この金属線２４を介して表面側弾性保持層１６と裏面側弾性保持層１７とに通電するようにしている。発光ダイオード１は、一方のリード２を、表面側弾性保持層１６の貫通部分を絶縁している絶縁リード２Ａとしている。この照明装置は、発光ダイオード１の絶縁リード２Ａを表面側弾性保持層１６に貫通させて、表面側弾性保持層１６に電気接続することなく裏面側弾性保持層１７に挿通し、他方のリード２を表面側弾性保持層１６に挿通して、表面側弾性保持層１６と裏面側弾性保持層１７とで発光ダイオード１に通電して発光させる。
【００１３】
本発明の請求項８の照明装置は、導電物質を導電塗料として、この導電塗料を合成樹脂発泡体またはゴム状弾性体に塗布して表面側弾性保持層１６及び裏面側弾性保持層１７としている。
【００１４】
本発明の請求項９の照明装置は、表面側弾性保持層１６に配設される金属線２４と裏面側弾性保持層１７に配設される金属線２４の間隔（Ｄ）を、発光ダイオード１の一対のリード２の間隔（ｄ）よりも大きくしている。
【００１５】
本発明の請求項１０の照明装置は、電源供給装置３が、発光ダイオード１のリード２を連結する接続部５を、発光ダイオード１のリード２を挿通して保持できる表面側弾性保持層１６と裏面側弾性保持層１７としている。電源供給装置３は、発光ダイオード１のリード２を挿通して保持できる表面側弾性保持層１６及び裏面側弾性保持層１７を、絶縁層１８で絶縁して積層した構造である。表面側弾性保持層１６と裏面側弾性保持層１７は、ここに挿通される発光ダイオード１のリード２に電気接続できる導電性を有する。発光ダイオード１は、一方のリード２を、表面側弾性保持層１６の貫通部分を絶縁している絶縁リード２Ａとしている。この発光ダイオード１は、一方のリード２に熱収縮する絶縁チューブを挿通して加熱することにより、リード２に絶縁チューブを固着させて絶縁リード２Ａを設けている。この照明装置は、発光ダイオード１の絶縁リード２Ａを表面側弾性保持層１６に貫通させて、表面側弾性保持層１６に電気接続することなく裏面側弾性保持層１７に挿通し、他方のリード２を表面側弾性保持層１６に挿通して、表面側弾性保持層１６と裏面側弾性保持層１７とで発光ダイオード１に通電して発光させる。
【００１６】
本発明の請求項１１の照明装置は、表面側弾性保持層１６と裏面側弾性保持層１７の一方あるいは両方の表面にシリコンゴムからなる表面層２１を設けており、この表面層２１で表面側弾性保持層１６と裏面側弾性保持層１７の表面を絶縁している。
【００１７】
本発明の請求項１２の照明装置は、電源供給装置３が、接続部５に電力を供給する補助電極２７を備える。この電源供給装置３は、補助電極２７を接続部５に連結して、補助電極２７から接続部５に通電する。
【００１８】
本発明の発光ダイオード用の電源供給装置は、発光ダイオード１を電気接続する状態で連結し、発光ダイオード１に通電して発光させる。電源供給装置は、発光ダイオード１のリード２を連結する接続部５を備える。接続部５は、発光ダイオード１のリード２を挿通して保持できる弾性と、保持状態でリード２に通電する導電性とを有する。電源供給装置は、発光ダイオード１のリード２を接続部５に挿通し、接続部５から通電して点灯する。
【００１９】
本発明の請求項１４の電源供給装置は、絶縁部４の両側に、発光ダイオード１の一対のリード２を連結する接続部５を配置している。接続部５は、発光ダイオード１のリード２を挿通して保持できる弾性保持部６を備え、この弾性保持部６は、挿通されるリード２に電気接続される導電部７を備えている。この電源供給装置は、発光ダイオード１の一対のリード２を、絶縁部４の両側に配置している接続部５の弾性保持部６に、絶縁部４を跨ぐ姿勢で挿通し、発光ダイオード１を弾性保持部６で保持して、通電して点灯する。
【００２０】
本発明の請求項１５の電源供給装置は、弾性保持部６を、導電物質を含有する合成樹脂発泡体またはゴム状弾性体としている。
【００２１】
本発明の請求項１６の電源供給装置は、発光ダイオード１のリード２を連結する接続部５を、発光ダイオード１のリード２を挿通して保持できる表面側弾性保持層１６と裏面側弾性保持層１７としている。電源供給装置３は、発光ダイオード１のリード２を挿通して保持できる表面側弾性保持層１６及び裏面側弾性保持層１７を、リード２を挿通できる絶縁層１８で絶縁して積層している。表面側弾性保持層１６と裏面側弾性保持層１７は、導電物質を含有する合成樹脂発泡体またはゴム状弾性体で、ここに挿通される発光ダイオード１のリード２に電気接続できる導電性を有する。この電源供給装置は、一方のリード２を絶縁リード２Ａとして表面側弾性保持層１６の貫通部分を絶縁してなる発光ダイオード１が装着される。電源供給装置は、絶縁リード２Ａを表面側弾性保持層１６に貫通させて表面側弾性保持層１６に電気接続することなく裏面側弾性保持層１７に挿通し、他方のリード２を表面側弾性保持層１６に挿通して、表面側弾性保持層１６と裏面側弾性保持層１７とで発光ダイオード１に通電して発光させる。
【００２２】
本発明の請求項１７の電源供給装置は、表面側弾性保持層１６と裏面側弾性保持層１７に金属線２４を接触する状態で配設しており、この金属線２４を介して表面側弾性保持層１６と裏面側弾性保持層１７とに通電するようにしている。
【００２３】
本発明の請求項１８の電源供給装置は、発光ダイオード１のリード２を連結する接続部５を、発光ダイオード１のリード２を挿通して保持できる表面側弾性保持層１６と裏面側弾性保持層１７としている。電源供給装置３は、発光ダイオード１のリード２を挿通して保持できる表面側弾性保持層１６及び裏面側弾性保持層１７を、リード２を挿通できる絶縁層１８で絶縁して積層している。表面側弾性保持層１６と裏面側弾性保持層１７は、ここに挿通される発光ダイオード１のリード２に電気接続できる導電性を有する。さらに、表面側弾性保持層１６と裏面側弾性保持層１７の表面に金属線２４を縫着して固定して、この金属線２４を介して表面側弾性保持層１６と裏面側弾性保持層１７とに通電するようにしている。この電源供給装置は、一方のリード２を絶縁リード２Ａとして表面側弾性保持層１６の貫通部分を絶縁してなる発光ダイオード１が装着される。電源供給装置は、絶縁リード２Ａを表面側弾性保持層１６に貫通させて表面側弾性保持層１６に電気接続することなく裏面側弾性保持層１７に挿通し、他方のリード２を表面側弾性保持層１６に挿通して、表面側弾性保持層１６と裏面側弾性保持層１７とで発光ダイオード１に通電して発光させる。
【００２４】
本発明の請求項１９の電源供給装置は、発光ダイオード１のリード２を連結する接続部５を、発光ダイオード１のリード２を挿通して保持できる表面側弾性保持層１６と裏面側弾性保持層１７としている。電源供給装置３は、発光ダイオード１のリード２を挿通して保持できる表面側弾性保持層１６及び裏面側弾性保持層１７を、リード２を挿通できる絶縁層１８で絶縁して積層している。表面側弾性保持層１６と裏面側弾性保持層１７は、導電物質を含有する合成樹脂発泡体またはゴム状弾性体で、ここに挿通される発光ダイオード１のリード２に電気接続できる導電性を有する。さらに、表面側弾性保持層１６と裏面側弾性保持層１７の表面に金属線２４を縫着して固定して、この金属線２４を介して表面側弾性保持層１６と裏面側弾性保持層１７とに通電するようにしている。この電源供給装置は、一方のリード２を絶縁リード２Ａとして表面側弾性保持層１６の貫通部分を絶縁してなる発光ダイオード１が装着される。電源供給装置は、絶縁リード２Ａを表面側弾性保持層１６に貫通させて表面側弾性保持層１６に電気接続することなく裏面側弾性保持層１７に挿通し、他方のリード２を表面側弾性保持層１６に挿通して、表面側弾性保持層１６と裏面側弾性保持層１７とで発光ダイオード１に通電して発光させる。
【００２５】
本発明の請求項２０の電源供給装置は、導電物質を導電塗料として、この導電塗料を合成樹脂発泡体またはゴム状弾性体に塗布して表面側弾性保持層１６及び裏面側弾性保持層１７としている。
【００２６】
本発明の請求項２１の電源供給装置は、表面側弾性保持層１６に配設される金属線２４と裏面側弾性保持層１７に配設される金属線２４の間隔（Ｄ）を、発光ダイオード１の一対のリード２の間隔（ｄ）よりも大きくしている。
【００２７】
本発明の請求項２２の電源供給装置は、表面側弾性保持層１６と裏面側弾性保持層１７の一方あるいは両方の表面にシリコンゴムからなる表面層２１を設けており、この表面層２１で表面側弾性保持層１６と裏面側弾性保持層１７の表面を絶縁している。
【００２８】
本発明の請求項２３の電源供給装置は、接続部５に電力を供給する補助電極２７を備える。電源供給装置は、補助電極２７を接続部５に連結して、補助電極２７から接続部５に通電する。
【００２９】
さらに、本発明の請求項２４の導電ボードは、発光ダイオード用の電源供給装置の導電層を形成するボードである。この導電ボードは、導電物質を全面にほぼ均一に含有する合成樹脂発泡体またはゴム状弾性体で製作されており、発光ダイオード１を点灯できる電流を導電ボードの任意の位置で通電できるようにしている。
【発明の効果】
【００３０】
本発明の照明装置と発光ダイオード用の電源供給装置は、発光ダイオードの連結位置を簡単かつ容易に、しかも自由に変更できる特長がある。それは、本発明が、発光ダイオードのリードを電気接続する状態で連結して通電する電源供給装置に、発光ダイオードのリードを連結する接続部を備えており、この接続部が発光ダイオードのリードを挿通して保持できる弾性と、保持状態でリードに通電する導電性とを有しているからである。
【００３１】
本発明の照明装置と発光ダイオード用の電源供給装置は、発光ダイオードの連結位置を簡単かつ容易に、しかも自由に変更できる特長がある。それは、本発明が、発光ダイオードの一対のリードを電気接続する状態で連結する電源供給装置を、絶縁部の両側に一対のリードを連結する接続部を配置した構造とし、あるいは、リードを挿通して保持できる表面側弾性保持層及び裏面側弾性保持層を絶縁層で絶縁して積層した構造とし、電源供給装置に連結された複数の発光ダイオードに電源供給装置から通電して点灯させるようにしているからである。
【００３２】
本発明の請求項２の照明装置と請求項１４の電源供給装置は、接続部が発光ダイオードのリードを挿通して保持する弾性保持部を備えているので、この弾性保持部に複数の発光ダイオードのリードを挿通して、発光ダイオードを簡単かつ容易にしかも自由に保持できる。
【００３３】
さらに、請求項４ないし１０の照明装置と請求項１６ないし２１の電源供給装置は、発光ダイオードの一方のリードを、表面側弾性保持層の貫通部分を絶縁している絶縁リードとしているので、この絶縁リードを表面側弾性保持層に貫通させて裏面側弾性保持層に挿通し、他方のリードを表面側弾性保持層に挿通して、表面側弾性保持層と裏面側弾性保持層とで発光ダイオードを簡単かつ容易に、しかも自由に保持できる。
【００３４】
以上のように、本発明の照明装置と電源供給装置は、多数の発光ダイオードを簡単かつ容易に、しかも自由に連結して通電できるので、多数の発光ダイオードの固定位置を、極めて簡単に種々の形態に変更できる特長がある。とくに、従来のように、発光ダイオードの固定位置を特定するために専用設計されたプリント基板を使用する必要がないので、製造コストを低減できる特長がある。さらに、本発明の照明装置と電源供給装置は、全ての発光ダイオードを極めて簡単に電源ラインに電気接続できるので、極めて簡単に組み立てできる特長もある。とくに、半田付け等の方法のように、専門技術のないものであっても、容易に組み立てできる特長がある。
【００３５】
さらに、本発明の請求項１１の照明装置と請求項２２の電源供給装置は、表面側弾性保持層と裏面側弾性保持層の一方あるいは両方の表面にシリコンゴムからなる表面層を設けているので、この表面層で表面側弾性保持層と裏面側弾性保持層の表面を絶縁して安全に使用できる特長がある。とくに、シリコンゴムは、防水性、耐熱性、耐寒性において優れた特性を有するので、照明装置を厳しい環境下で使用する用途においても、長期間にわたって安全に使用できる特長がある。さらに、表面側弾性保持層や裏面側弾性保持層の表面層をシリコンゴムとする照明装置と電源供給装置の特筆すべき特長は、発光ダイオードのリードを挿通しやすいにもかかわらず、リードが抜けにくい点である。シリコンゴムは、これを貫通して挿通されるリードに対する摩擦係数が小さく、挿通されるリードとの摩擦力を小さくできる。このため、発光ダイオードのリードをスムーズに挿通できる。さらに、シリコンゴムは、柔らかくて優れた弾性を有するので、挿入されたリードを安定して抜けないように保持できる。したがって、この照明装置と電源供給装置は、発光ダイオードのリードをスムーズに挿通しながら、挿通されたリードが抜けるのを有効に防止して、発光ダイオードを安定して保持できる。さらに、シリコンゴムである表面層は、薄く形成して以上の特長を実現できるので、電源供給装置全体を薄くできる特長もある。
【００３６】
さらに、本発明の請求項１２の照明装置と請求項２３の電源供給装置は、接続部に電力を供給する補助電極を備えており、この補助電極を接続部に連結して、補助電極から接続部に通電するので、補助電極から補助的に電力を供給して、部分的に明暗に差が生じるのを有効に防止して、複数の発光ダイオードを均一に点灯することができ、また、補助電極を配設した部分に局部的に電力を供給して、補助電極の近傍の発光ダイオードを周囲より明るく点灯することができる。
【００３７】
さらに、本発明の請求項２４の導電ボードは、導電物質を全面の内部にほぼ均一に含有している合成樹脂発泡体またはゴム状弾性体で製作しており、発光ダイオードを点灯できる電流を、導電ボードの任意の位置で通電できるようにしているので、極めて簡単な構造として、安価に多量生産しながら、発光ダイオードをどの位置に装着しても安定して点灯できる特長がある。
【発明を実施するための最良の形態】
【００３８】
以下、本発明の実施例を図面に基づいて説明する。ただし、以下に示す実施例は、本発明の技術思想を具体化するための照明装置を例示するものであって、本発明は照明装置を下記のものに特定しない。
【００３９】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００４０】
本発明の照明装置は、複数の発光ダイオード１と、これらの発光ダイオード１のリード２を電気接続する状態で連結する電源供給装置３とを備える。照明装置は、電源供給装置３に連結された複数の発光ダイオード１を、電源供給装置３から発光ダイオード１に通電して発光させる。電源供給装置３は、発光ダイオード１のリード２を連結する接続部５を備える。この接続部５は、発光ダイオード１のリード２を挿通して保持できる弾性と、保持状態でリード２に通電する導電性とを有する。照明装置は、発光ダイオード１のリード２を接続部５に挿通し、接続部５から通電して点灯する。
【００４１】
図１〜図５に示す照明装置は、一対のリード２を突出させている複数の発光ダイオード１と、複数の発光ダイオード１のリード２を電気接続する状態で連結する電源供給装置３とを備える。これ等の図に示す照明装置は、電源供給装置３に連結された複数の発光ダイオード１を、電源供給装置３から発光ダイオード１に通電して発光させる。
【００４２】
図１の照明装置の電源供給装置３は、絶縁部４の両側に、一対のリード２を連結する接続部５を配置している。接続部５は、発光ダイオード１のリード２を挿通して保持できる弾性保持部６を備える。この弾性保持部６は、挿通されるリード２に電気接続される導電部７を備えている。この照明装置は、絶縁部４に沿って複数の発光ダイオード１のリード２を接続部５の弾性保持部６に挿通して電源供給装置３に連結し、電源供給装置３が連結された発光ダイオード１に通電して点灯する。
【００４３】
絶縁部４は、一対のリード２の間に配設されて、発光ダイオード１のリード２がショートするのを防止する。図に示す絶縁部４は絶縁壁４Ａである。絶縁壁４Ａは、プラスチック等の絶縁材を板状に成形したものである。図の照明装置は、絶縁壁４Ａの両側に導線８を固定し、この導線８の表面に、導線８に接するように所定の幅の導電テープ９を固定している。絶縁壁４Ａの両側に固定している一対の導線８は、直流又は交流の電源に接続され、導電テープ９を介して弾性保持部６の導電部７に接続される。導線８を直流電源に接続する照明装置は、発光ダイオード１を連続して点灯する。導線８を交流電源に接続する照明装置は、発光ダイオード１を交流の半サイクルで点灯する。
【００４４】
弾性保持部６は、ここに発光ダイオード１のリード２を挿通して保持するために、合成樹脂発泡体、あるいはゴム状弾性体が使用される。合成樹脂発泡体は、発光ダイオード１のリード２をスムーズに挿通できる。ゴム状弾性体は、リード２で挿通部分が切断されて挿通される。図の照明装置は、弾性保持部６に中間溝６Ａを設けて、ここに絶縁壁４Ａを嵌入している。
【００４５】
図の弾性保持部６は、挿通されるリード２を貫通させる導電層１９を設けて導電部７としている。導電層１９は、ニッケル、アルミニウム、銅等の導電金属のメッキ層である。ただし、導電層は、金属箔で構成することもできる。図の弾性保持部６は、内部に導電部７である導電層１９を設けている。この構造は、弾性保持部６の表面であって、リード２を挿通する表面に導電部７が表出しないので、表面に導体が接触してもショートすることがない。
【００４６】
合成樹脂発泡体やゴム状弾性体の導電部は、導電塗料を塗布して設けることもできる。導電塗料は、導電製の粉末をバインダーに添加したもので、バインダーを硬化させて導電性を実現する塗料である。導電塗料に添加される導電製の粉末は、金属粉末やカーボン粉末である。金属粉末は、ニッケル、アルミニウム、銅、シンチュウ等の粉末である。導電塗料は、金属粉末やカーボン粉末の添加量を多くして、硬化状態における電気抵抗を小さくできる。導電塗料のバインダーは、未硬化の状態では液状ないしペースト状である。液状ないしペースト状のバインダーに導電製の粉末が添加されて合成樹脂発泡体やゴム状弾性体の表面に塗布される。バインダーは硬化すると固化し、添加している導電製の粉末で低い電気抵抗となる。導電塗料を塗布して設けられる導電部は、導電塗料を塗布する回数を多くして、電気抵抗を小さくできる。また、導電塗料に含まれる導電製の粉末の添加量を多くして、硬化状態における電気抵抗を小さくできる。
【００４７】
以上の実施例では、絶縁部４を絶縁壁４Ａとしている。この電源供給装置３は、絶縁壁４Ａで、一対のリード２を確実に絶縁できる特長がある。ただ、絶縁部は、必ずしも絶縁壁とする必要はない。絶縁部は、図示しないが、一対のリードにそれぞれ電気接続される導電部の間に設けた絶縁溝や非導電部とすることもできる。この電源供給装置は、たとえば、弾性保持部の内部に設けた導電層を中間溝で分割して絶縁溝とし、あるいは、弾性保持部の内部に複数列の導電部を設けて、これらの間の部分である非導電部を絶縁部とすることができる。
【００４８】
図２の照明装置の電源供給装置３は、絶縁壁４Ａの両側に、一対のリード２を連結する接続部５を配置している。接続部５は、発光ダイオード１のリード２を挿通して保持できる弾性挟着部１０を備えている。弾性挟着部１０は、ここに挿通されるリード２を弾性的に挟着して発光ダイオード１を保持する。さらに、弾性挟着部１０は、ここに挿通される発光ダイオード１のリード２に電気接続される導電部７を備えている。
【００４９】
図の電源供給装置３は、絶縁壁４Ａの両側に絶縁板からなる側壁１１を配設し、一対の側壁１１と絶縁壁４Ａを、弾性変形する溝材１２の連続溝１２Ａに配設している。絶縁壁４Ａは、図１の絶縁壁４Ａと同じように、両側に導線８と導電テープ９とを設けている。側壁１１はプラスチック等の絶縁板の表面であって、絶縁壁４Ａと対向する面に、導線８と導電テープ９とを固定している。この電源供給装置３は、絶縁壁４Ａと側壁１１の表面に固定している導電テープ９を、リード２に接続する導電部７としている。
【００５０】
溝材１２は、プラスチック等の弾性変形できる硬質材を成形して製作され、あるいは金属等を引き抜き成形し、あるいはプレス成形して溝形に成形している。溝材１２は、連続溝１２Ａの対向する面に、側壁１１の表面に接触して側壁１１を押圧する中間凸条１２Ｂを一体的に成形して設けている。さらに、図の溝材１２は、発光ダイオード１を両側から挟着して保持するために、連続溝１２Ａの開口部にも発光ダイオード１を保持する保持凸条１２Ｃを一体的に成形して設けている。側壁１１は中間凸条１２Ｂに固定され、絶縁壁４Ａは連続溝１２Ａの底部に固定される。
【００５１】
この構造の照明装置は、図に示すように、発光ダイオード１のリード２が絶縁壁４Ａの両側を跨ぐようにして、発光ダイオード１のリード２を弾性挟着部１０に挿通する。このようにして、複数の発光ダイオード１は、絶縁壁４Ａに沿って連結される。連結される発光ダイオード１は、リード２を接続部５の弾性挟着部１０に挿通する。この状態で電源供給装置３に連結される発光ダイオード１は、絶縁壁４Ａと側壁１１の対向面に設けている導電テープ９からなる導電部７に挟着され、導電部７を介して通電される。絶縁壁４Ａの両側に配設している導電テープ９に接触する導線８は、直流あるいは交流電源に接続される。絶縁壁４Ａと側壁１１の対向面に配設している導電テープ９に接続する導線８は、互いに電気接続されて電源に接続される。したがって、弾性挟着部１０に保持される発光ダイオード１は、絶縁壁４Ａの両側に設けた導電テープ９にリード２を接触させ、リード２を介して通電して点灯される。
【００５２】
図２に示す溝材１２は、直線状に延びる形状としており、複数の発光ダイオード１を溝材１２の延長方向に連続して装着できるようにしている。ただ、溝材は、図示しないが、図２に示す溝材１２を短く裁断した形状とすることもできる。この溝材は、たとえば、１つの溝材で１つの発光ダイオードを保持する。全長を短くしてなる溝材は、側面を弾性変形させやすいので、発光ダイオードを装着するときに、弾性挟着部を大きく開いて、リードを簡単に挿入できる特長がある。また、この溝材は、個々に発光ダイオードを保持するので、発光ダイオードの装着時において、隣接する発光ダイオードの挟着状態に影響を与えることなく装着できる特長がある。このため、複数の発光ダイオードを能率よく装着できる。個々に発光ダイオードを装着する溝材は、たとえば、線状に延びる形状のガイド部材に連結して複数個の発光ダイオードを一体的に連結できる。ガイド部材は、たとえば、線状の弾性挟着部を設けて、この弾性挟着部を溝材に設けた連結溝に嵌合させて連結できる。この構造は、溝材とガイド部材の連結位置を自由に変更できる特長がある。ただ、溝材とガイド部材は、他の嵌着構造や係止構造で、あるいは接着やネジ止めして連結することもできる。さらに、ガイド部材を所望の形状とすることにより、複数の発光ダイオードを所望の形状に配置できる。また、溝材をガイド部材に連結する向きを種々に変更することにより、発光ダイオードの照射方向を自由に調節することも可能である。ただ、１つの溝材には、２つ以上の発光ダイオードを装着することもできる。
【００５３】
図３と図４に示す照明装置の電源供給装置３は、絶縁壁４Ａの両側に、一対のリード２を連結する接続部５を配置すると共に、接続部５の上方位置に発光ダイオード１を挟着して保持する弾性保持壁１４を設けている。さらに、図の照明装置は、接続部５の外側には、絶縁壁４Ａと平行に別の絶縁壁４Ｂを設けている。互いに対向する姿勢で平行に配設している絶縁壁４Ａ、４Ｂはプラスチック等の絶縁プレートで、所定の間隔で互いに平行に固定されている。互いに対向する絶縁壁４Ａ、４Ｂの間には、発光ダイオード１を挟着して保持する弾性保持壁１４である凹凸プレート１３を配設すると共に、リード２を挿通できる導電部７を設けて、接続部５に挿通されるリード２を導電部７に電気接続するようにしている。図３に示す照明装置は、電源供給装置３に４列に絶縁壁４Ａ、４Ｂを配設し、各々の絶縁壁４Ａ、４Ｂの間に３列に接続部５を設けている。この構造の照明装置は、２列の絶縁壁４Ａに沿って、２列に発光ダイオード１を装着できる。ただ、電源供給装置は、図示しないが、絶縁壁を３列として２列の接続部を設けることもできる。また、絶縁壁を５列以上として接続部を４列以上とし、３列以上に発光ダイオードを配列することもできる。
【００５４】
弾性保持壁１４である凹凸プレート１３は、弾性変形できるプラスチック板や金属板を波形に、あるいは凹凸ができるようにプレス成形したもので、対向する絶縁壁４Ａ、４Ｂの間に配設される。図３に示す電源供給装置３は、各々の絶縁壁４Ａ、４Ｂの間に３列に凹凸プレート１３を配設している。隣接して配設される凹凸プレート１３は、互いの凹部が対向する姿勢で配置されており、対向する凹部で挿入部２２を形成して、ここに発光ダイオード１を挿入している。挿入部２２に挿入される発光ダイオード１は、これに接触する２枚の凹凸プレート１３に挟着されて所定の位置に保持される。凹凸プレート１３は、図４に示すように、下部を接続部５の上部に挿入すると共に、上部を絶縁壁４Ａ、４Ｂよりも高く成形しており、絶縁壁４Ａ、４Ｂから突出する部分で発光ダイオード１の側面を挟着して保持している。この凹凸プレート１３は、プラスチック板等の絶縁材で成形することによって、表面を絶縁できるので導体が接触してもショートすることがない。また、凹凸プレートは、金属板として導電部の一部とすることもできる。金属板である凹凸プレートは、発光ダイオードを保持する先端部を絶縁して、表面側でのショートを防止できる。
【００５５】
さらに、図の電源供給装置は、４列の絶縁壁４Ａ、４Ｂの間に設けた３列の接続部５に、リード２を挿通できる導電部７を設けて、接続部５に挿通されるリード２を導電部７に電気接続するようにしている。導電部７は、導電性のある合成樹脂発泡体、あるいは導電性のある粉末である金属粉やカーボン粉を含浸させた合成樹脂発泡体、あるいは金属粉やカーボン粉である。
【００５６】
導電性のある合成樹脂発泡体は、導電塗料を塗布して電気抵抗を小さくすることができる。この合成樹脂発泡体は連続気泡を有する発泡体で、塗布された導電塗料を、連続気泡によって内部に浸透させて合成樹脂発泡体の電気抵抗を小さくすることができる。この導電塗料としては、図１の導電部を設けるために使用する前述の導電塗料と同じものが使用できる。この合成樹脂発泡体も、導電塗料を塗布する回数を多くして、より多くの導電塗料を連続気泡の内部に含浸させて、合成樹脂発泡体の電気抵抗を小さくできる。また、導電塗料に含まれる導電製の粉末の添加量を多くしても、硬化状態における合成樹脂発泡体の電気抵抗を小さくできる。
【００５７】
導電部７は、導電性のある合成樹脂発泡や金属粉に電気接続されるように、電源に接続しているリード線１５を配設している。このリード線１５は、接続部５に挿入された凹凸プレート１３よりも下方に配線されている。凹凸プレートを金属板とする場合は、凹凸プレートをリード線に併用できる。さらに、図の電源供給装置は、導電部７を直流電源や交流電源の端子に接続している。図の電源供給装置３は、中間の導電部７を直流電源の＋側端子に、両側の導電部７を直流電源の−側端子に接続している。この電源供給装置３は、絶縁壁４Ａを跨ぐように発光ダイオード１のリード２を挿通して、発光ダイオード１を点灯できる。絶縁壁４Ａの両側を＋−の電源端子に接続しているからである。図示しないが、４列以上の接続部を備える電源供給装置は、互いに隣接する接続部の導電部に、＋側端子と−側端子とを交互に接続する。
【００５８】
この電源供給装置３は、隣接する凹凸プレート１３で形成される挿入部２２に発光ダイオード１が挿入されると共に、一対のリード２が絶縁壁４Ａを跨ぐ状態で接続部５に挿入される。この電源供給装置３は、絶縁壁４Ａに沿って複数の発光ダイオード１を連結できる。挿入部２２に挿入される発光ダイオード１は、凹凸プレート１３に挟着されて保持される。発光ダイオード１のリードが接続部５に挿入されると、リード２は電源に電気接続している導電部７に接続される。このため、発光ダイオード１は、リード２と導電部７を介して電源に接続されて、通電して点灯される。
【００５９】
図５の照明装置の電源供給装置３は、絶縁壁４Ａの両側に、一対のリード２を連結する接続部５を配置し、接続部５の外側には発光ダイオード１を挟着して保持する弾性保持壁１４を設けている。さらに、弾性保持壁１４と絶縁壁４Ａとの間には、リード２を挿通できる導電部７を設けて、接続部５に挿通されるリード２を導電部７に電気接続するようにしている。導電部７は、導電性のある合成樹脂発泡体、あるいは導電性のある粉末である金属粉やカーボン粉を含浸させた合成樹脂発泡体、あるいは金属粉やカーボン粉である。導電部７は、導電性のある合成樹脂発泡や金属粉に電気接続されるように、電源に接続しているリード線１５を配設している。
【００６０】
図の電源供給装置３は、弾性変形できる板材で、絶縁壁４Ａと弾性保持壁１４とを一体的に成形している。構成する板材は、弾性変形できる硬質プラスチック板である。硬質プラスチック板は引き抜き加工して成形される。ただし、内面を絶縁処理している弾性金属板も使用できる。
【００６１】
この照明装置は、絶縁壁４Ａを跨ぐようにして、絶縁壁４Ａに沿って複数の発光ダイオード１が装着される。発光ダイオード１は、リード２を接続部５に挿入し、弾性保持壁１４で挟着して保持される。接続部５に挿入されるリード２は、導電部７に接続され、導電部７を介して電源に接続され、通電して点灯される。
【００６２】
さらに、図６ないし図２１に示す照明装置の電源供給装置３は、発光ダイオード１のリード２を連結する接続部５を、発光ダイオード１のリード２を挿通して保持できる表面側弾性保持層１６と裏面側弾性保持層１７としている。これらの図に示す電源供給装置３は、接続部５である表面側弾性保持層１６及び裏面側弾性保持層１７を、リード２を挿通できる絶縁層１８で絶縁して積層した構造としている。表面側弾性保持層１６と裏面側弾性保持層１７は、ここに挿通される発光ダイオード１のリード２に電気接続できる導電性を有する。
【００６３】
図６と図７の照明装置は、一対のリード２を突出させている複数の発光ダイオード１と、複数の発光ダイオード１のリード２を電気接続する状態で連結する電源供給装置３とを備える。電源供給装置３に連結された複数の発光ダイオード１は、電源供給装置３から通電されて発光する。
【００６４】
電源供給装置３は、発光ダイオード１のリード２を挿通して保持できる表面側弾性保持層１６及び裏面側弾性保持層１７を、リード２を挿通できる絶縁層１８で絶縁して積層した構造としている。表面側弾性保持層１６と裏面側弾性保持層１７は、ここに挿通される発光ダイオード１のリード２に電気接続できる導電性を有する。
【００６５】
表面側弾性保持層１６と裏面側弾性保持層１７は、ここに発光ダイオード１のリード２を挿通して発光ダイオード１を保持できるものであって、合成樹脂発泡体、あるいはゴム状弾性体である。合成樹脂発泡体は、発光ダイオード１のリード２をスムーズに挿通できる。ゴム状弾性体は、リード２で挿通部分を切断してリード２を挿通させる。
【００６６】
表面側弾性保持層１６と裏面側弾性保持層１７は、リード２に通電できる導電性を有する。合成樹脂発泡体やゴム状弾性体である表面側弾性保持層１６と裏面側弾性保持層１７は、導電性のある合成樹脂発泡体やゴム状弾性体、あるいは導電性のある粉末である金属粉やカーボン粉を含浸させた合成樹脂発泡体やゴム状弾性体とすることができる。さらに、表面側弾性保持層と裏面側弾性保持層は、導電性のない合成樹脂発泡体やゴム状弾性体に導電塗料を塗布して導電性を実現することも、あるいは、導電性のある合成樹脂発泡体やゴム状弾性体に、さらに導電塗料を塗布することもできる。この導電塗料としては、図１の導電部を設けるために使用する前述の導電塗料と同じものが使用できる。
【００６７】
表面側弾性保持層１６と裏面側弾性保持層１７には、導電物質を内部に含有する合成樹脂発泡体またはゴム状弾性体で製作している導電ボードが使用できる。この導電ボードは、発光ダイオード１を点灯できる電流を導電ボードの任意の位置で通電できるように、合成樹脂発泡体またはゴム状弾性体の全面に導電物質をほぼ均一に含有して、電源供給装置３の導電層を形成している。導電物質は、合成樹脂発泡体またはゴム状弾性体の内部の全体に含有させることも、表面部分のみに含有させることもできる。導電ボードは、含有する導電物質の電気抵抗と含有量を調整して全体の電気抵抗を設定する。導電ボードの抵抗値は、装着される種々の発光ダイオードに対して、発光ダイオードが発光する電流を通電できる値に設定する。発光ダイオードは、その発光色や規格によって、障壁電圧が１．５〜４．０Ｖと種々のものがある。この導電ボードは、図２２の等価回路に示すように、導電ボードの抵抗Ｒ0が発光ダイオード１の抵抗ＲAに対して大きくなるように設定して、装着される全ての発光ダイオード１に、これを発光できる電流を通電できる。したがって、この構造の導電ボードは、高価な定電流回路を使用することなく、任意の位置に装着される種々の発光ダイオード１を発光させる電流を安定して供給できる。この導電ボードは、図６ないし図２１に示すように、絶縁層１８を介して積層して電源供給装置３の導電層である表面側弾性保持層１６と裏面側弾性保持層１７として使用することができる。また、この導電ボードは、用途に応じて所定の幅に切断して、図１ないし図５に示す電源供給装置３の導電部として使用することもできる。
【００６８】
合成樹脂発泡体やゴム状弾性体に導電塗料を塗布する表面側弾性保持層と裏面側弾性保持層は、導電塗料を両面に塗布することも、一方の面にのみ塗布することもできる。さらに、導電性のない合成樹脂発泡体やゴム状弾性体に導電塗料を塗布して導電性を実現する表面側弾性保持層と裏面側弾性保持層は、一方の面にのみ導電塗料を塗布して発光ダイオードに通電する通電部とし、他方の面を導電塗料が塗布されない非通電部とすることもできる。この表面側弾性保持層と裏面側弾性保持層は、導電塗料が塗布されない非通電部を外側に位置する状態で積層して表面層とし、電源供給装置の表面側を絶縁構造とすることができる。
【００６９】
導電性のある合成樹脂発泡体は、導電塗料を塗布して電気抵抗を小さくすることができる。この合成樹脂発泡体は連続気泡を有する発泡体で、塗布された導電塗料を、連続気泡によって内部に浸透させて合成樹脂発泡体の電気抵抗を小さくすることができる。この導電塗料にも前述の導電塗料と同じものが使用できる。この合成樹脂発泡体も、導電塗料を塗布する回数を多くして、より多くの導電塗料を連続気泡の内部に含浸させて、合成樹脂発泡体の電気抵抗を小さくできる。また、導電塗料に含まれる導電製の粉末の添加量を多くしても、硬化状態における合成樹脂発泡体の電気抵抗を小さくできる。
【００７０】
表面側弾性保持層１６と裏面側弾性保持層１７は、図１に示す照明装置の弾性保持部６と同じように、内部に金属箔や金属メッキ層等の導電層を設け、この導電層にリードを貫通させて通電することもできる。この表面側弾性保持層１６と裏面側弾性保持層１７は、図８の断面図に示すように、内部に導電層１９を積層する。
【００７１】
さらに、電源供給装置３は、図９の断面図に示すように絶縁層１８の両面に導電層１９を積層して接着し、導電層１９の表面に合成樹脂発泡体やゴム状弾性体等の弾性保持部６を積層して接着する構造とすることもできる。この電源供給装置３は、導電層１９と弾性保持部６で表面側弾性保持層１６を、導電層１９と弾性保持部６とで裏面側弾性保持層１７を構成する。
【００７２】
さらに、電源供給装置３は、図１０の断面図に示すように、導電性のある合成樹脂発泡体やゴム状弾性体、あるいは導電性のある粉末である金属粉やカーボン粉を含浸させた合成樹脂発泡体やゴム状弾性体である弾性保持部６の表面に、導電層１９を積層して接着して、導電性を有する表面側弾性保持層１６と裏面側弾性保持層１７とすることもできる。この電源供給装置３は、表面側弾性保持層１６と裏面側弾性保持層１７の表面および境界面を絶縁層１８で絶縁して積層した構造としている。図に示す表面側弾性保持層１６と裏面側弾性保持層１７は、弾性保持部６の片面にのみ導電層１９を設けているが、導電層は弾性保持部の両面に設けることもできる。
【００７３】
さらに、図１１に示すように、表面側弾性保持層１６と裏面側弾性保持層１７の周囲に、リード板２３を設けて、表面側弾性保持層１６と裏面側弾性保持層１７に通電することもできる。リード板２３は、導電性のある合成樹脂発泡体で製作している表面側弾性保持層１６と裏面側弾性保持層１７の周囲に電気的に接触して、表面側弾性保持層１６と裏面側弾性保持層１７とに通電する。
【００７４】
さらに、電源供給装置３は、図１２の分解斜視図に示すように、表面側弾性保持層１６と裏面側弾性保持層１７に金属線２４を配置して、表面側弾性保持層１６と裏面側弾性保持層１７に通電することもできる。この金属線２４には、銅線、ニッケル線等の導電性の金属線、あるいは表面にニッケルメッキ等のメッキをした銅や鉄等の金属線が使用できる。金属線２４は、導電性のある合成樹脂発泡体で製作している表面側弾性保持層１６と裏面側弾性保持層１７に電気的に接触して、表面側弾性保持層１６と裏面側弾性保持層１７とに通電する。
【００７５】
図１２の電源供給装置３は、表面側弾性保持層１６と裏面側弾性保持層１７の表面に、金属線２４を縫着して固定している。金属線２４を縫着する構造は、たとえば、下糸を金属線２４、上糸を絶縁性の糸材２５としてミシンで縫着して、極めて簡単に固定できる。とくに、図に示すように、下糸である金属線２４の張りを上糸である糸材２５に対して強くすることによって金属線２４を断線させることなく理想的に配線できる。ただ、金属線を縫着する構造は、下糸を絶縁性の糸材として上糸を金属線とすることも、下糸と上糸の両方を金属線とすることもできる。絶縁性の糸材２５には、たとえば、天然繊維やプラスチック繊維等が使用できる。このように、金属線２４を縫着する構造は、表面側弾性保持層１６と裏面側弾性保持層１７の所定の位置に、極めて簡単に金属線２４を固定できる特長がある。ただ、金属線は、表面側弾性保持層と裏面側弾性保持層の表面に接着して固定することも、連結具で固定することもできる。表面に金属線２４が固定された表面側弾性保持層１６と裏面側弾性保持層１７は、図に示すように、絶縁層１８の両側に積層されて互いに絶縁される。図に示す表面側弾性保持層１６と裏面側弾性保持層１７は、金属線２４が配置された面を絶縁層１８に対向させて配置しており、金属線２４が電源供給装置３の表面側に表出するのを防止している。
【００７６】
さらに、表面側弾性保持層１６に配設される金属線２４と裏面側弾性保持層１７に配設される金属線２４は、図１３に示すように、互いに位置をずらして配設する。それは、表面側弾性保持層１６と裏面側弾性保持層１７に挿通される発光ダイオード１のリード２が、絶縁層１８の両側に位置する金属線２４に同時に接触するのを防止するためである。たとえば、絶縁層の両側の位置する金属線が互いに対向する位置にある場合、裏面側弾性保持層まで挿通される発光ダイオードのリードが２つの金属線に同時に接触すると電源がショートする。また、絶縁層の両側に位置する金属線の間隔が狭いと、表面側弾性保持層と裏面側弾性保持層に挿通される発光ダイオードの一対のリードが共に金属線に接触する状態で発光ダイオードに通電されて、発光ダイオードが故障することがある。これらの弊害を防止するために、表面側弾性保持層１６に配設される金属線２４と裏面側弾性保持層１７に配設される金属線２４の間隔（Ｄ）は、発光ダイオード１の一対のリード２の間隔（ｄ）よりも大きくなるようにする。
【００７７】
金属線２４の間隔（Ｄ）とは、図１４に示すように、発光ダイオード１の挿入方向からの投影視における間隔であり、この図に示すように、表面側弾性保持層１６に配設される金属線２４と裏面側弾性保持層１７に配設される金属線２４の最も接近する部分における間隔を意味している。図１４において、表面側弾性保持層１６に配設される金属線２４を鎖線で、裏面側弾性保持層１７に配設される金属線２４を一点鎖線で示している。金属線２４の間隔（Ｄ）をリード２の間隔（ｄ）よりも大きくする状態では、図１３に示すように、裏面側弾性保持層１７まで挿通される発光ダイオード１のリード２が２つの金属線２４に同時に接触することがなく、また、表面側弾性保持層１６と裏面側弾性保持層１７に挿通される発光ダイオード１の一対のリード２が共に金属線２４に接触することもない。したがって、電源や発光ダイオード１を保護しながら、安全に通電できる。絶縁層１８の両側に配設される金属線２４の間隔（Ｄ）は、リード２の間隔（ｄ）によって適宜に決定されるが、金属線２４の間隔（Ｄ）は、たとえば、リード２の間隔（ｄ）の１．２倍以上、好ましくは１．５倍以上、さらに好ましくは２倍以上として、上記の弊害を有効に防止できる。
【００７８】
さらに、図１５に示す電源供給装置３は、周縁部に枠体２６を配設している。枠体２６は、積層された絶縁層１８の両側に積層された表面側弾性保持層１６と裏面側弾性保持層１７とを絶縁する状態で配設される。図の枠体２６は、表面側弾性保持層１６と裏面側弾性保持層１７の外周面だけでなく、周縁部もカバーする状態で配設している。このように、周縁部を枠体２６でカバーする電源供給装置３は、図に示すように、表面側弾性保持層１６に配設される金属線２４と裏面側弾性保持層１７に配設される金属線２４とを互いに対向する位置に配設することができる。それは、この枠体２６の部分には発光ダイオード１のリード２を挿通できないので、裏面側弾性保持層１７に挿通される発光ダイオード１のリード２が、絶縁層１８の両側に位置する金属線２４に同時に接触することがないからである。また、周縁部に枠体２６を備える電源供給装置は、金属線２４を縫着する場合においては、上糸である糸材２５が表出するのを防止できるので外観を良くできる特長もある。
【００７９】
さらに、電源供給装置３は、図１６と図１７に示すように、補助電極２７を連結して、この補助電極２７から表面側弾性保持層１６と裏面側弾性保持層１７に電力を供給することができる。この補助電極２７は、図１７に示すように、裏面側から挿入して、表面側に表出させることなく外観を良くしながら配設できる。ただ、補助電極は、表面側から挿入して配設することもできる。補助電極２７を備える電源供給装置３は、補助電極２７の近傍に装着される発光ダイオード１に補助電極２７から電力を供給できるので、これらの発光ダイオード１に流れる電流を多くして、明るく点灯できる特長がある。とくに、照明装置は、装着する発光ダイオードの数や配置によって、部分的に明暗に差が生じる場合がある。このとき、暗く点灯される部分に補助電極を連結することによって、この部分を効果的に明るく点灯できる。
【００８０】
図の補助電極２７は、一対の電極を備える。この電極は、導電性を有するロッドまたはプレートで、リード線２８を介して電源に接続される。一対の電極は、それぞれ表面側弾性保持層１６と裏面側弾性保持層１７に電気接続している。補助電極２７は、裏面側弾性保持層１７を貫通して表面側弾性保持層１６に挿通して接続される一方の電極を絶縁電極２７Ａとしている。絶縁電極２７Ａは、裏面側弾性保持層１７の貫通部分を絶縁部２７ａとして絶縁し、表面側弾性保持層１６に挿通される先端部分を絶縁していない。この絶縁電極２７Ａは、電極の表面をプラスチック等の絶縁体で被覆して、あるいは電極の表面に絶縁材を塗布して、あるいはまた電極に絶縁チューブを挿通して絶縁部２７ａを設けている。この絶縁電極２７Ａは、絶縁部２７ａで裏面側弾性保持層１７から絶縁しながら、先端部を表面側弾性保持層１６に電気接続できる。裏面側弾性保持層１７を貫通して表面側弾性保持層１６に挿入される絶縁電極２７Ａは、表面側弾性保持層１６に電気接続され、裏面側弾性保持層１７に挿入される他方の電極２７Ｂは、裏面側弾性保持層１７に電気接続される。補助電極２７は、表面側弾性保持層１６と裏面側弾性保持層１７とに通電して、ここに装着される発光ダイオード１に通電する。
【００８１】
ただ、補助電極は、必ずしも導電性のロッドやプレートとする必要はなく、図１８と図１９に示すように、表面が絶縁被覆された電線２９の導電部を露出させて、この導電部を電極に代用することもできる。この電線２９には、配線用ケーブルが適している。配線用ケーブルには、たとえば２芯ケーブルや同軸ケーブルが使用できる。２芯ケーブルは、図１８に示すように、一方の芯線２９Ａを裏面側弾性保持層１７に絶縁状態で貫通させて表面側弾性保持層１６に電気接続し、他方の芯線２９Ｂを裏面側弾性保持層１７に接続する。表面側弾性保持層１６に接続する芯線２９Ａは、裏面側弾性保持層１７に電気接続しないように、被覆部２９ａで裏面側弾性保持層１７から絶縁する。同軸ケーブルは、図１９に示すように、中心の芯線２９Ｃを表面側弾性保持層１７に挿入して電気接続し、外側の外部導体２９Ｄを露出させて裏面側弾性保持層１７に電気接続する。中心の芯線２９Ｃは、裏面側弾性保持層に電気接続しないように、内部被覆部２９ｃで裏面側弾性保持層１７から絶縁する。以上のように、芯線を絶縁被覆している電線は、芯線を露出する部分と絶縁部分の長さを調節して理想的に表面側弾性保持層と裏面側弾性保持層とに電気接続できる。ただ、補助電極を設けるための電線は、２芯ケーブルや同軸ケーブル以外の配線用ケーブルを使用することも、配線用のケーブル以外の電線を使用することもできる。
【００８２】
さらに、電源供給装置３は、図２０の平面図に示すように、全体を複数の領域に区分して、これらの各領域に補助電極２７を連結することもできる。各領域には、リード線２８を介して補助電極２７を連結して、電力を供給している。各領域に配設される補助電極２７には、上述の構造のものが使用できる。さらに、図に示す電源供給装置３は、各領域に接続された補助電極２７への電力供給を制御回路３０で制御して、各領域に装着される発光ダイオードの点灯を制御できるようにしている。図の電源供給装置３は、全体を複数の領域（図においては６つの領域）に区分して、各領域に供給される電力を制御回路３０で制御している。この構造の電源供給装置３は、各領域に接続された補助電極２７への通電を制御回路３０で制御して、所望の領域に装着された発光ダイオードを明るく点灯できる。したがって、この電源供給装置３は、各領域に装着される発光ダイオードを、領域単位で点灯させて、領域単位で異なる情報を表示することができる。さらに、この電源供給装置３は、領域別に発光ダイオードの点滅を制御して、領域単位で異なる点灯状態で表示することもできる。さらに、この電源供給装置は、区分する領域を多くして、各領域に配設される発光ダイオードの点滅を制御することによって、動画を表示することも可能である。
【００８３】
以上のように、補助電極２７を備える電源供給装置３は、装着する発光ダイオードの数や配置に応じて補助電極２７から補助的に電力を供給することによって、部分的に明暗に差が生じるのを有効に防止して全体を均一に点灯することができ、また、意図的に補助電極２７を配設した部分に局部的に電力を供給して、補助電極２７の近傍の発光ダイオードを周囲より明るく点灯して様々な表示状態とすることもできる。
【００８４】
絶縁層１８は、積層している表面側弾性保持層１６と裏面側弾性保持層１７がショートするのを防止する。絶縁層１８は、発光ダイオード１の一方のリード２を貫通させる必要がある。したがって、絶縁層１８は、合成樹脂発泡体やゴム状弾性体で製作してリード２を挿通できるようにしている。
【００８５】
図６の表面側弾性保持層１６は、発光ダイオード１の一方のリード２を挿通できる貫通部２０を設けている。貫通部２０は、点状の貫通孔とすることも帯状のスリット孔とすることもできる。貫通孔である貫通部は、所定の間隔で開口して、複数の発光ダイオードを理想的に連結できる。スリット孔である貫通部は、発光ダイオードの縦方向の連結位置を自由に決定できる。この表面側弾性保持層１６は、発光ダイオード１の一方のリード２を貫通部２０に通過させて、表面側弾性保持層１６に接触させることなく裏面側弾性保持層１７に挿通する。貫通部２０は、好ましくは、内面を絶縁する。貫通部２０は、内面に絶縁筒を挿通し、あるいは内面に絶縁材を塗布して絶縁できる。この表面側弾性保持層１６は、貫通部２０に挿通されるリード２が内面に接触しても、通電されることはない。発光ダイオード１の他方のリード２は、表面側弾性保持層１６に挿通されて、表面側弾性保持層１６と裏面側弾性保持層１７とで発光ダイオード１に通電して発光させるようにしている。
【００８６】
図７の電源供給装置３は、表面側弾性保持層１６に貫通部を設けることなく、発光ダイオード１の一方のリード２を絶縁している。この発光ダイオード１は、表面側弾性保持層１６を貫通して裏面側弾性保持層１７に挿通して接続される一方のリード２を絶縁リード２Ａとしている。絶縁リード２Ａは、表面側弾性保持層１６の貫通部分を絶縁して、裏面側弾性保持層１７に挿通される先端部分を絶縁していない。この絶縁リード２Ａは、リード２に絶縁チューブを挿通し、あるいは表面に絶縁材を塗布して、リード２の表面に絶縁部を設けることができる。リード２に挿通する絶縁チューブは、たとえば、熱収縮性のプラスチックチューブとすることができる。発光ダイオード１は、一方のリード２に絶縁チューブを挿通し、この絶縁チューブをドライヤー等で加熱して熱収縮させて、表面が絶縁されてなる絶縁リードとすることができる。この発光ダイオード１は、絶縁リード２Ａを表面側弾性保持層１６に絶縁状態で挿通して、先端部を裏面側弾性保持層１７に接続できる。この発光ダイオード１を連結する電源供給装置３は、表面側弾性保持層１６に貫通部を設ける必要がない。貫通部で絶縁リード２Ａを絶縁する必要がないからである。ただ、一方のリードを絶縁リードとする発光ダイオードを、表面側弾性保持層の貫通部に入れて、裏面側弾性保持層に接続することもできる。
【００８７】
図６ないし図１０、図１２、図１３、図１５、図１７ないし図１９の電源供給装置３は、表面側弾性保持層１６と裏面側弾性保持層１７の表面に表面層２１を積層している。表面層２１は絶縁層で、表面側弾性保持層１６と裏面側弾性保持層１７の表面を絶縁する。表面層２１のある電源供給装置３は、表面を絶縁しているので安全かつ便利に使用できる。ただ、本発明の照明装置は必ずしも表面層を必要とせず、表面層を省略することもできる。図６に示す電源供給装置３は、表面側弾性保持層１６の表面に積層する一方の表面層２１に、表面側弾性保持層１６に設けた貫通部２０の位置にあわせて貫通部２０を開口している。
【００８８】
表面側弾性保持層１６の表面に設けている表面層２１は、発光ダイオード１のリード２を挿通させるので、リード２を挿通できるように、たとえば合成樹脂発泡やゴム状弾性体で製作される。裏面側弾性保持層１７の表面に設けている表面層２１は、発光ダイオード１のリード２を挿通させる必要はないので、リード２を挿通できない合成樹脂プレートやゴム状弾性体のプレートとすることができる。ただし、表面側弾性保持層と裏面側弾性保持層の表面に積層している両方の表面層を、発光ダイオードのリードを挿通できるものとすることもできる。この電源供給装置は、両面に発光ダイオードを連結することができる。
【００８９】
さらに、表面層２１は、シリコンゴムとすることができる。シリコンゴムは、防水性、耐熱性、耐寒性に優れた特性を有する。したがって、表面層２１をシリコンゴムとする構造は、照明装置を厳しい環境下で使用する場合においても、長期間にわたって安全に使用できる特長がある。シリコンゴムである表面層２１は、表面側弾性保持層１６や裏面側弾性保持層１７の表面に液状ないしジェル状のシリコンゴムを塗布して設けることができる。液状ないしジェル状のシリコンゴムを塗布する方法は、表面側弾性保持層１６や裏面側弾性保持層１７を形成する合成樹脂発泡やゴム状弾性体の表面との相性も良く、これらの表面に剥がれないように付着させて表面層２１を設けることができる。とくに、合成樹脂発泡やゴム状弾性体の表面に、表面層２１を薄く形成して全体の厚さを薄くできる。さらに、シリコンゴムの表面層２１は、表面側弾性保持層１６や裏面側弾性保持層１７の表面全体を被覆する状態で付着できるので、優れた防水性を実現できる特長がある。ただ、シリコンゴムである表面層は、シート状のシリコンゴムを接着して設けることもできる。
【００９０】
さらに、シリコンゴムである表面層２１は、発光ダイオード１のリード２をスムーズに挿通して、しかもリード２を抜けにくくできる特長がある。シリコンゴムは、これを貫通して挿通されるリード２に対する摩擦係数が小さいので、挿通されるリード２との摩擦力を小さくできる。このため、発光ダイオード１のリード２をスムーズに挿通できる。とくに、表面層２１を貫通してリード２を挿通するときの感触を心地よくできる。さらに、シリコンゴムは、柔らかくて優れた弾性を有するので、挿入されたリード２を抜けないように安定して保持できる。したがって、発光ダイオード１のリード２をスムーズに挿通しながら、挿通されたリード２が抜けるのを有効に防止して、発光ダイオード１を安定して保持できる。このように、挿通された発光ダイオード１のリード２を表面層２１で保持する電源供給装置３は、全体を薄くしながら優れた保持力を実現できる特長がある。
【００９１】
シリコンゴムである表面層は、表面側弾性保持層と裏面側弾性保持層の両方の表面に設けることも、表面側弾性保持層の表面にのみ設けることもできる。さらに、シリコンゴムの表面層は、表面側弾性保持層や裏面側弾性保持層の両面に設けることもできる。この電源供給装置は、表面側弾性保持層と裏面側弾性保持層の互いに対向する面に設けられる表面層で絶縁層を形成できる。図２１に示す電源供給装置３は、表面側弾性保持層１６と裏面側弾性保持層１７の両面に表面層２１を設けると共に、互いに対向する表面層２１の間に絶縁材３１を介在させて絶縁層１８としている。この絶縁材３１には、例えば、紙やプラスチックフィルム、不織布等が使用できる。この絶縁層１８は、表面層２１と絶縁材３１からなる３層構造で、優れた絶縁性を実現しながら、全体の厚さを薄くできる特長がある。ただ、この絶縁材は省略することもでき、また表面側弾性保持層と裏面側弾性保持層の表面層は、対向する面の一方にのみ設けることもできる。
【００９２】
さらに、図２１の電源供給装置３は、シリコンゴムで絶縁層１８を形成するので、絶縁層１８を貫通するリード２をスムーズに挿通しながら、しっかりと保持できる。すなわち、この構造の電源供給装置３は、挿通される発光ダイオード１のリード２を、表面側弾性保持層１６と裏面側弾性保持層１７とで弾性的に保持することに加えて、表面側弾性保持層１６の両面の表面層２１と裏面側弾性保持層１７の内面側の表面層２１でも保持するので、しっかりと抜けないように保持できる。とくに、電源供給装置３の全体を薄くしながら、発光ダイオード１が抜けるのを有効に防止できる。
【００９３】
表面側弾性保持層１６と裏面側弾性保持層１７は電源に接続される。この照明装置は、発光ダイオード１の一方のリード２を表面側弾性保持層１６に接続し、他方のリード２を裏面側弾性保持層１７に接続して点灯される。発光ダイオード１は、一方を表面側弾性保持層１６に、他方を裏面側弾性保持層１７に挿通できるように、裏面側弾性保持層１７に挿通するリード２を、表面側弾性保持層１６に挿通するリード２よりも長くしている。いいかえると、一方のリード２が表面側弾性保持層１６に接続する位置まで、発光ダイオード１のリード２を電源供給装置３に挿通して、他方のリード２が裏面側弾性保持層１７に挿通されるように一対のリード２の長さを特定している。発光ダイオード１は、他方のリード２を裏面側弾性保持層１７に挿通して連結する状態で、一方のリード２は裏面側弾性保持層１７に届くことがなく、表面側弾性保持層１６に挿通して接続される。
【００９４】
図６ないし図２１に示すように、表面側弾性保持層１６と裏面側弾性保持層１７を積層している電源供給装置３は、発光ダイオード１を縦横の自由な位置に配列して点灯できるので、用途に最適な位置に発光ダイオード１を固定して点灯できる。
【図面の簡単な説明】
【００９５】
【図１】本発明の一実施例にかかる照明装置の分解斜視図
【図２】本発明の他の実施例にかかる照明装置の分解斜視図
【図３】本発明の他の実施例にかかる照明装置の平面図
【図４】図３に示す照明装置のＡ−Ａ線断面図
【図５】本発明の他の実施例にかかる照明装置の断面斜視図
【図６】本発明の他の実施例にかかる照明装置の拡大断面図
【図７】本発明の他の実施例にかかる照明装置の拡大断面図
【図８】電源供給装置の他の一例を示す拡大断面図
【図９】電源供給装置の他の一例を示す拡大断面図
【図１０】電源供給装置の他の一例を示す拡大断面図
【図１１】本発明の他の実施例にかかる照明装置の断面斜視図
【図１２】電源供給装置の他の一例を示す分解断面斜視図
【図１３】図１２に示す電源供給装置の拡大断面図
【図１４】図１２に示す電源供給装置の平面図
【図１５】電源供給装置の他の一例を示す拡大断面図
【図１６】電源供給装置の他の一例を示す斜視図
【図１７】図１６に示す電源供給装置に補助電極を連結する状態を示す拡大断面図
【図１８】補助電極の他の一例を示す拡大断面図
【図１９】補助電極の他の一例を示す拡大断面図
【図２０】電源供給装置の他の一例を示す平面図
【図２１】電源供給装置の他の一例を示す平面図
【図２２】電源供給装置の等価回路を示す回路図
【符号の説明】
【００９６】
１…発光ダイオード
２…リード                ２Ａ…絶縁リード
３…電源供給装置
４…絶縁部                ４Ａ…絶縁壁            ４Ｂ…絶縁壁
５…接続部
６…弾性保持部            ６Ａ…中間溝
７…導電部
８…導線
９…導電テープ
１０…弾性挟着部
１１…側壁
１２…溝材                １２Ａ…連続溝            １２Ｂ…中間凸条
１２Ｃ…保持凸条
１３…凹凸プレート
１４…弾性保持壁
１５…リード線
１６…表面側弾性保持層
１７…裏面側弾性保持層
１８…絶縁層
１９…導電層
２０…貫通部
２１…表面層
２２…挿入部
２３…リード板
２４…金属線
２５…糸材
２６…枠材
２７…補助電極            ２７Ａ…絶縁電極          ２７Ｂ…電極
２７ａ…絶縁部
２８…リード線
２９…電線                ２９Ａ…芯線              ２９Ｂ…芯線
２９Ｃ…芯線              ２９Ｄ…外部導電体
２９ａ…被覆部            ２９ｃ…内部被覆部
３０…制御回路
３１…絶縁材
【図１】
2005191520.tif 000003
【図２】
2005191520.tif 000004
【図３】
2005191520.tif 000005
【図４】
2005191520.tif 000006
【図５】
2005191520.tif 000007
【図６】
2005191520.tif 000008
【図７】
2005191520.tif 000009
【図８】
2005191520.tif 000010
【図９】
2005191520.tif 000011
【図１０】
2005191520.tif 000012
【図１１】
2005191520.tif 000013
【図１２】
2005191520.tif 000014
【図１３】
2005191520.tif 000015
【図１４】
2005191520.tif 000016
【図１５】
2005191520.tif 000017
【図１６】
2005191520.tif 000018
【図１７】
2005191520.tif 000019
【図１８】
2005191520.tif 000020
【図１９】
2005191520.tif 000021
【図２０】
2005191520.tif 000022
【図２１】
2005191520.tif 000023
【図２２】
2005191520.tif 000024